【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ネットワークサーバによって実行されるワイヤレス通信の方法であって、
ユーザ機器(UE)のネットワーク資格情報に基づいて前記UEとの接続を確立するステップと、
ワイヤレスネットワークにアクセスするための資格情報を欠いているデバイスのために識別情報を前記UEから取得するステップと、
メッセージをデバイス認証サーバに送信するステップと、
前記デバイスに対する前記識別情報を前記デバイス認証サーバから受信した応答に基づいて認証するステップと、
前記デバイスに対する前記識別情報を認証した後で、前記ワイヤレスネットワークへのアクセスに対する前記デバイスを、前記UEの前記ネットワーク資格情報とは異なる前記デバイスに対するネットワーク資格情報に登録するステップとを含み、前記登録するステップが、前記デバイスに対する前記識別情報を前記UEの前記ネットワーク資格情報と関係付けるステップを含む、方法。
【請求項２】
アクセス要求を前記デバイスから受信するステップであって、前記アクセス要求は、前記ワイヤレスネットワークへのアクセスに対する前記デバイスを登録するステップに続いて前記UEと独立に行われる、ステップをさらに含む、請求項1に記載の方法。
【請求項３】
前記デバイスに対する前記ネットワーク資格情報が、デバイス製造業者によってプロビジョニングされた共有鍵と、
デバイス製造業者によってプロビジョニングされたプライベート-パブリックキーペア
のうち１つを含む、請求項1に記載の方法。
【請求項４】
前記デバイスを登録する際に、デバイス登録確認メッセージを前記UEに送信するステップをさらに含む、請求項1に記載の方法。
【請求項５】
前記デバイスを登録するステップが、
登録情報を、ホーム加入者サーバ(HSS)において記憶されるデバイスサブスクリプションリストに追加されるように前記UEの前記HSSに送信するステップを含み、前記登録情報が、前記デバイスに対する前記識別情報と前記ネットワーク資格情報とを含む、請求項1に記載の方法。
【請求項６】
前記デバイスに対する前記識別情報が、デバイス識別子、デバイスパラメータ、統一資源位置指定子(URL)、共有鍵、パブリックキー、または前記デバイスのパブリックキー証明書、あるいはそれらの任意の組合せのうちの少なくとも1つを含む、請求項1に記載の方法。
【請求項７】
前記デバイスを登録するステップが、
ネットワークエンティティに前記デバイスに対するアクセス制限を与えるステップを含む、請求項1に記載の方法。
【請求項８】
前記アクセス制限が、アクセス持続時間制限、使用時間仕様、最大帯域幅制限、サービスパラメータ、アップリンクスループット制限、またはダウンリンクスループット制限、あるいはそれらの任意の組合せのうちの少なくとも1つを含む、請求項7に記載の方法。
【請求項９】
前記デバイスに対する認証要求を、前記接続を介して前記UEから受信するステップと、
前記デバイスに対する認証確認を、前記接続を介して前記UEに送信するステップとをさらに含む、請求項1に記載の方法。
【請求項１０】
前記デバイスに対する前記識別情報が、前記UEの前記ネットワーク資格情報とは異なる種類のものである、請求項1に記載の方法。
【請求項１１】
前記UEの前記ネットワーク資格情報が、前記ワイヤレスネットワークの事業者によってプロビジョニングされ、前記デバイスに対する前記識別情報が、前記デバイスの製造業者によって確立される、請求項1に記載の方法。
【請求項１２】
ユーザ機器(UE)によって実行されるワイヤレス通信の方法であって、
ワイヤレスネットワークにアクセスするための資格情報を欠いているデバイスのために識別情報を取得するステップと、
前記UEのネットワーク資格情報に基づいて前記ワイヤレスネットワークとの接続を確立するステップと、
前記デバイスに対する前記識別情報を前記UEの前記ネットワーク資格情報と関係付けるために、前記デバイスに対する前記識別情報を前記接続を介してネットワークサーバに送信するステップと、
前記デバイスに対する認証要求を認証のために前記ネットワークサーバに送信するステップであって、前記ネットワークサーバでの認証はデバイス認証サーバから受信された応答に基づく、ステップと、
前記デバイスを認証した後で、前記デバイスに対するワイヤレスアクセスパラメータを前記接続を介して受信するステップとを含む、方法。
【請求項１３】
ワイヤレス通信のための装置であって、
ユーザ機器(UE)のネットワーク資格情報に基づいて前記UEとの接続を確立するための手段と、
ワイヤレスネットワークにアクセスするための資格情報を欠いているデバイスのために識別情報を前記UEから取得するための手段と、
メッセージをデバイス認証サーバに送信するための手段と、
前記デバイスに対する前記識別情報を前記デバイス認証サーバから受信した応答に基づいて認証するための手段と、
前記デバイスに対する前記識別情報を認証した後で、前記ワイヤレスネットワークへのアクセスに対する前記デバイスを、前記UEの前記ネットワーク資格情報とは異なる前記デバイスに対するネットワーク資格情報に登録するための手段とを含み、前記登録することが、前記デバイスに対する前記識別情報を前記UEの前記ネットワーク資格情報と関係付けることを含む、装置。
【請求項１４】
ワイヤレス通信のための装置であって、
ワイヤレスネットワークにアクセスするための資格情報を欠いているデバイスのために識別情報を取得するための手段と、
前記装置のネットワーク資格情報に基づいて前記ワイヤレスネットワークとの接続を確立するための手段と、
前記デバイスに対する前記識別情報を前記装置の前記ネットワーク資格情報と関係付けるために、前記識別情報を前記接続を介してネットワークサーバに送信するための手段と、
前記デバイスに対する認証要求を認証のために前記ネットワークサーバに送信するための手段であって、前記ネットワークサーバでの認証はデバイス認証サーバから受信された応答に基づく、手段と、
前記デバイスを認証した後で、前記デバイスに対するワイヤレスアクセスパラメータを前記接続を介して受信するための手段とを含む、装置。
【請求項１５】
ワイヤレス通信のためのコードを記憶するコンピュータ可読記憶媒体であって、前記コードが、
ユーザ機器(UE)のネットワーク資格情報に基づいて前記UEとの接続を確立することと、
ワイヤレスネットワークにアクセスするための資格情報を欠いているデバイスのために識別情報を前記UEから取得することと、
メッセージをデバイス認証サーバに送信することと、
前記デバイスに対する前記識別情報を前記デバイス認証サーバから受信した応答に基づいて認証することと、
前記デバイスに対する前記識別情報を認証した後で、前記ワイヤレスネットワークへのアクセスに対する前記デバイスを、前記UEの前記ネットワーク資格情報とは異なる前記デバイスに対するネットワーク資格情報に登録することとを行うように実行可能な命令を含み、前記登録することが、前記デバイスに対する前記識別情報を前記UEの前記ネットワーク資格情報と関係付けることを含む、コンピュータ可読記憶媒体。
【請求項１６】
ワイヤレス通信のためのコードを記憶するコンピュータ可読記憶媒体であって、前記コードが、
ワイヤレスネットワークにアクセスするための資格情報を欠いているデバイスのために識別情報を取得することと、
ユーザ機器(UE)のネットワーク資格情報に基づいて前記ワイヤレスネットワークとの接続を確立することと、
前記デバイスに対する前記識別情報を前記UEの前記ネットワーク資格情報と関係付けるために、前記識別情報を前記接続を介してネットワークサーバに送信することと、
前記デバイスに対する認証要求を認証のために前記ネットワークサーバに送信することであって、前記ネットワークサーバでの認証はデバイス認証サーバから受信された応答に基づく、送信することと、
前記デバイスを認証した後で、前記デバイスに対するワイヤレスアクセスパラメータを前記接続を介して受信することとを行うように実行可能な命令を含む、コンピュータ可読記憶媒体。